(57)【要約】【課題】缶ビールの補充回数を減らす。【解決手段】缶体のＮ個（Ｎ＞２）の収容部とダミー容器４２の収容部とを備え、Ｍ個（Ｍ≦Ｎ）の缶体５２、５６が収容されるホルダー１と、ダミー容器４２に嵌着され、ダミー容器内に密閉空間を形成する蓋体４０と、上面に開口が形成された缶体５２、６２に嵌着され、缶体内部と上方部位からなる密閉空間を形成するＭ個の蓋体５０、６０と、一端がダミー容器４２の密閉空間と連通しており、他端からポンプから送出された空気が供給される空気供給チューブ２０２、２０１、３と、ダミー容器４２の密閉空間と缶体５２の密閉空間とを連通する中間空気供給チューブ４１と、Ｍ個の缶体５２、６２の密閉空間のビール層を連通するＭ−１個の中間ビール供給チューブ５１と、一端が缶体６２の密閉空間のビール層と連通しており、他端側がビールの吐出口となっているビール供給チューブ６１、２００と、を備えたビールサーバ。【選択図】図３
2018002190.tif 000002
【特許請求の範囲】
【請求項１】
１つ以上の缶ビールの缶体の収容部と、１つのダミー容器の収容部と、を備えたホルダーと、
ダミー容器の上端に密閉状に嵌着され、ダミー容器内に密閉空間を形成する蓋体と、
上面に開口が形成された缶体の上端に密閉状に嵌着され、缶体内部と上方部位からなる密閉空間を形成する蓋体と、
空気を送出するポンプと、
前記ポンプを駆動するモータと、
一端が前記ダミー容器の密閉空間と連通しており、他端からポンプから送出された空気が供給される空気供給チューブと、
前記ダミー容器の密閉空間と前記缶体の密閉空間とを連通する中間空気供給チューブと、
一端が前記缶体の密閉空間のビール層と連通しており、他端側がビールの吐出口となっているビール供給チューブと、  
前記吐出口を開閉するコックと、
を備えたビールサーバ。
【請求項２】
Ｎ個（Ｎ＞２）の缶ビールの缶体のＮ個の収容部と、１つのダミー容器の収容部と、を備え、Ｍ個（Ｍ≦Ｎ）の缶体が収容されるホルダーと、
ダミー容器の上端に密閉状に嵌着され、ダミー容器内に密閉空間を形成する蓋体と、
上面に開口が形成された缶体の上端に密閉状に嵌着され、缶体内部と上方部位からなる密閉空間を形成すＭ個（Ｍ≦Ｎ）の蓋体と、
空気を送出するポンプと、
前記ポンプを駆動するモータと、
一端が前記ダミー容器の密閉空間と連通しており、他端からポンプから送出された空気が供給される空気供給チューブと、
前記ダミー容器の密閉空間と、Ｍ個の缶体から選択された第１の缶体の密閉空間とを連通する中間空気供給チューブと、
Ｍ個の缶体の密閉空間のビール層を連通するＭ−１個の中間ビール供給チューブと、
一端がＭ個の缶体から選択された第２の缶体の密閉空間のビール層と連通しており、他端側がビールの吐出口となっているビール供給チューブと、  
前記吐出口を開閉するコックと、
を備えたビールサーバ。
【請求項３】
Ｎ個（Ｎ＞２）の缶ビールの缶体のＮ個の収容部を備え、Ｍ個（Ｍ≦Ｎ）の缶体が収容されるホルダーと、
上面に開口が形成された缶体の上端に密閉状に嵌着され、缶体内部と上方部位からなる密閉空間を形成すＭ個（Ｍ≦Ｎ）の蓋体と、
空気を送出するポンプと、
前記ポンプを駆動するモータと、
一端がＭ個の缶体から選択された第１の缶体の密閉空間と連通しており、他端からポンプから送出された空気が供給される空気供給チューブと、
Ｍ個の缶体の密閉空間のビール層を連通するＭ−１個の中間ビール供給チューブと、
一端がＭ個の缶体から選択された第２の缶体の密閉空間のビール層と連通しており、他端側がビールの吐出口となっているビール供給チューブと、  
前記吐出口を開閉するコックと、
を備えたビールサーバ。
【請求項４】
請求項１に記載のビールサーバの洗浄方法であって、
前記ダミー容器に洗浄用液体を充填し、
前記中間空気チューブの一端をダミー容器の密閉空間の液体層に連通させ、
前記中間空気供給チューブの他端と前記ビール供給チューブの一端とを接続し、
前記空気供給チューブからダミー容器の密閉空間の空気層に空気を供給することで、前記中間空気供給チューブ、前記ビール供給チューブを介して吐出口から洗浄用液体を吐出する、
洗浄方法。
【請求項５】
請求項２に記載のビールサーバの洗浄方法であって、
前記ダミー容器に洗浄用液体を充填し、
前記中間空気チューブの一端をダミー容器の密閉空間の液体層に連通させ、
前記中間空気供給チューブの他端と前記中間ビール供給チューブの一端とを接続し、前記中間ビール供給チューブの他端と前記ビール供給チューブの一端とを接続し、
前記空気供給チューブからダミー容器の密閉空間の空気層に空気を供給することで、前記中間空気供給チューブ、前記中間ビール供給チューブ、前記ビール供給チューブを介して吐出口から洗浄用液体を吐出する、
洗浄方法。
【発明の詳細な説明】
【技術分野】
【０００１】
本発明は、ビールサーバに関するものである。
【背景技術】
【０００２】
空気圧を利用して市販の缶ビールの上面の開口からビールを押し出して吐出するビールサーバが知られており、例えば、特許文献１〜３に開示されている。
【０００３】
特許文献１〜３に開示されたビールサーバはテーブル等に置いて用いることを前提としているが、パーティや宴会において、ビールサーバを入れたバッグを担いでビールを注いで回りたい場合がある。この場合、バッグを背負った状態で歩いたり走ったりすると、缶ビールが揺れるため、振動で炭酸ガスが発生して、空気供給チューブを通って炭酸ガスや泡が逆流してしまうおそれがある。特に、泡が空気を供給するポンプやモータにまで達してしまうと、故障や不良の原因となり得る。
【０００４】
このようなビールサーバは、３５０ｍｌや５００ｍｌの市販の缶ビールを用いてビールを注ぐことができるが、パーティや宴会において多人数で利用する場合、３５０ｍｌや５００ｍｌの容量ではすぐに缶ビールが空いてしまい、都度、空になった缶体を取り外して、新たに缶ビールを補充する必要があり、手間を要することになる。
【０００５】
このようなビールサーバは、繰り返し使用することを意図しており、初期使用時のみならず繰り返し使用時のために洗浄が必要であるが、洗浄を効率的に行えることが望まれる。
【特許文献１】特開２００３−２６７４９３
【特許文献２】特開２０１２−２４０６８２
【特許文献３】特開２０１５−１１３１６６
【発明の開示】
【発明が解決しようとする課題】
【０００６】
本発明は、上記課題の少なくとも１つあるいは複数を解決できるビールサーバを提供することを目的とする。
【課題を解決するための手段】
【０００７】
かかる課題を解決するべく本発明が採用した第１の技術手段は、
１つ以上の缶ビールの缶体（５２、５６）の収容部と、１つのダミー容器（４２）の収容部と、を備えたホルダー（１）と、
ダミー容器（４２）の上端に密閉状に嵌着され、ダミー容器内に密閉空間を形成する蓋体（４０）と、
上面に開口が形成された缶体（６２）の上端に密閉状に嵌着され、缶体内部と上方部位からなる密閉空間を形成する蓋体（６０）と、
空気を送出するポンプと、
前記ポンプを駆動するモータと、
一端が前記ダミー容器（４２）の密閉空間と連通しており、他端からポンプから送出された空気が供給される空気供給チューブ（２０２、２０１、３）と、
前記ダミー容器（４２）の密閉空間と前記缶体（６２）の密閉空間とを連通する中間空気供給チューブ（４１）と、
一端が前記缶体（６２）の密閉空間のビール層と連通しており、他端側がビールの吐出口となっているビール供給チューブ（６１、２００）と、  
前記吐出口を開閉するコック（２）と、
を備えたビールサーバ、である。
本明細書において、密閉空間という文言は完全に密閉された空間を意味するものではなく、チューブを介してのみ他の空間と連通しており、チューブを介してのみ流体の出入りが可能であり、チューブ以外の経路で流体が漏れ出ることがない意味における密閉された空間として用いている。
【０００８】
本発明が採用した第２の技術手段は、
Ｎ個（Ｎ＞２、実施例では５個）の缶ビールの缶体のＮ個の収容部と、１つのダミー容器（４２）の収容部と、を備え、Ｍ個（Ｍ≦Ｎ、実施例では２個）の缶体（５２、５６）が収容されるホルダー（１）と、
ダミー容器（４２）の上端に密閉状に嵌着され、ダミー容器内に密閉空間を形成する蓋体（４０）と、
上面に開口が形成された缶体（５２、６２）の上端に密閉状に嵌着され、缶体内部と上方部位からなる密閉空間を形成すＭ個（Ｍ≦Ｎ）の蓋体（５０、６０）と、
空気を送出するポンプと、
前記ポンプを駆動するモータと、
一端が前記ダミー容器（４２）の密閉空間と連通しており、他端からポンプから送出された空気が供給される空気供給チューブ（２０２、２０１、３）と、
前記ダミー容器（４２）の密閉空間と、Ｍ個の缶体から選択された第１の缶体（５２）の密閉空間とを連通する中間空気供給チューブ（４１）と、
Ｍ個の缶体（５２、６２）の密閉空間のビール層を連通するＭ−１個の中間ビール供給チューブ（５１）と、
一端がＭ個の缶体から選択された第２の缶体（６２）の密閉空間のビール層と連通しており、他端側がビールの吐出口となっているビール供給チューブ（６１、２００）と、  
前記吐出口を開閉するコック（２）と、
を備えたビールサーバ、である。
後述する図示の態様では、Ｎ＝２であり、Ｍ個の缶体は、第１の缶体（５２）と第２の缶体（６２）の２個である。
例えば、Ｎ＝３であれば、Ｍ個の缶体は、第１の缶体（５２）、第２の缶体（６２）、第３の缶体、からなり、３個の蓋体、２本の中間ビール供給チューブが用意され、第１の缶体（５２）の密閉空間のビール層と第３の缶体の密閉空間のビール層、第３の缶体の密閉空間のビール層と第２の缶体（６２）の密閉空間のビール層がそれぞれ中間ビール供給チューブで連通される。
【０００９】
本発明が採用した第３の技術手段は、
Ｎ個（Ｎ＞２）の缶ビールの缶体のＮ個の収容部を備え、Ｍ個（Ｍ≦Ｎ）の缶体が収容されるホルダーと、
上面に開口が形成された缶体の上端に密閉状に嵌着され、缶体内部と上方部位からなる密閉空間を形成すＭ個（Ｍ≦Ｎ）の蓋体と、
空気を送出するポンプと、
前記ポンプを駆動するモータと、
一端がＭ個の缶体から選択された第１の缶体の密閉空間と連通しており、他端からポンプから送出された空気が供給される空気供給チューブと、
Ｍ個の缶体の密閉空間のビール層を連通するＭ−１個の中間ビール供給チューブと、
一端がＭ個の缶体から選択された第２の缶体の密閉空間のビール層と連通しており、他端側がビールの吐出口となっているビール供給チューブと、  
前記吐出口を開閉するコックと、
を備えたビールサーバ、である。
ビールサーバが、ビール泡の逆流が生じ難い状態で使用されるような場合には、ダミー容器を用いたい使用態様も採り得る。
この場合、図１〜図４に示す態様において、ダミー容器（４２）を缶ビールの缶体に置き換え、中間空気供給チューブ（４１）を中間ビール供給チューブに置き換えることで、ダミー容器無しの使用態様となることが当業者に理解される。すなわち、置き換え後において、図１、図２が２個の缶体を用いた使用であり、図３、図４が３個の缶体を用いた使用となる。
【００１０】
本発明が採用した第４の技術手段は、
ダミー容器（４２）に洗浄用液体を充填し、
中間空気供給チューブ（４１）の一端をダミー容器（４２）の密閉空間の液体層に連通させ、
中間空気供給チューブ（４１）の他端とビール供給チューブ（６１）の一端とを接続し、
空気供給チューブ（２０２、２０１、３）からダミー容器（４２）の密閉空間の空気層に空気を供給することで、中間空気供給チューブ（４１）、ビール供給チューブ（６１、２００）を介して吐出口から洗浄用液体を吐出する、
洗浄方法、である。
【００１１】
本発明が採用した第５の技術手段は、
ダミー容器（４２）に洗浄用液体を充填し、
中間空気チューブ（４１）の一端をダミー容器の密閉空間の液体層に連通させ、
中間空気供給チューブ（４１）の他端と中間ビール供給チューブ（５１）の一端とを接続し、中間ビール供給チューブ（５１）の他端とビール供給チューブ（６１）の一端とを接続し、
空気供給チューブ（２０２、２０１、３）からダミー容器（４２）の密閉空間の空気層に空気を供給することで、中間空気供給チューブ（４１）、中間ビール供給チューブ（５１）、ビール供給チューブ（６１、２００）を介して吐出口から洗浄用液体を吐出する、
洗浄方法、である。
【発明の効果】
【００１２】
本発明では、ポンプから空気供給チューブを通って供給される空気は、ダミー容器を介して、中間空気供給チューブによってビール缶に供給されるにしたので、振動等によってビール缶内で発生した泡等が中間空気供給チューブを逆流したとしても、ダミー容器がバッファとなって発生した泡等を収容することができ、さらに空気供給チューブを逆流することを可及的に防止することができる。
また、ダミー容器は、洗浄時に洗浄用容器として用いることができる。ダミー容器に充填した洗浄用液体（例えば、水）をビールに代えて流すことで、各チューブを洗浄することができる。
【００１３】
複数の缶体内のビール層を中間ビール供給チューブで連通させることによって、缶ビールの補充回数を減らすことができ、特に、パーティや宴会において多人数で利用する場合に有利である。
【図面の簡単な説明】
【００１４】
【図１】本実施形態に係るビールサーバを示し、ホルダーには１つのダミー容器と１つのビール缶が収容されている。
【図２】図１に示すビールサーバにおける各要素の接続を説明する図である。
【図３】本実施形態に係るビールサーバを示し、ホルダーには１つのダミー容器と２つのビール缶が収容されている。
【図４】図２に示すビールサーバにおける各要素の接続を説明する図である。
【図５】本実施形態に係るビールサーバの構成要素であるホルダーを示す。
【図６】本実施形態に係るビールサーバの構成要素であるガンを示す。
【図７】本実施形態に係るビールサーバの構成要素である空気供給チューブを示す。
【図８】本実施形態に係るビールサーバの構成要素であるダミー容器及びダミー容器用の蓋体ユニットを示す。
【図９】左図は、ビールサーバの構成要素である第１ビール缶用の蓋体ユニットを示し、右図は、ビールサーバの構成要素である第２ビール缶用の蓋体ユニットを示す。
【図１０】本実施形態に係るビールサーバの構成要素であるガンの分解斜視図である。
【図１１】本実施形態に係るビールサーバにおける洗浄方法を説明する図である。
【図１２】本実施形態に係るビールサーバを内装するキャリーバッグを背負った使用状態を示す。
【発明を実施するための形態】
【００１５】
［Ａ］ビールサーバの構成要素
本実施形態に係るビールサーバの構成要素について説明する。
［ホルダー］
ホルダー１は、複数本の缶ビールを収容可能な複数の収容部を備えている。図５に示すように、ホルダー１は、高さ方向に離間して対向する２枚の円板状の保持部１０、１１と、保持部１０、１１を接続して支持する支柱１２と、支柱１２の上端に設けた取手１３と、からなる。下側の保持部１１は、ホルダー１を載置する時のベースとして機能する。１つの態様では、取手１３は、支柱１２の上端に対して引き込まれた状態と引き出された状態との間で移動可能となっている。
【００１６】
保持部１０には、５つの円形状の開口１００が周方向に等間隔で形成されており、支持部１１には、５つの円形状の凹部１１０が周方向に等間隔で形成されている。開口１００と凹部１１０は同じ径を備えており、市販の缶ビールの筒体の直径よりも僅かに大きい寸法となっている。開口１００と凹部１１０は、上下方向に一致しており、各開口１００と凹部１１０がペアとなって缶ビールの収容部を形成している。
【００１７】
図３、図４に示すように、ホルダー１は、１つのダミー容器４２と、複数本の缶ビール５２、６２を、立姿状に収容できるようになっている。図示の態様では、ホルダー１は５つの収容部を備えているが、収容部の個数は限定されない。また、ホルダー１の収容部の具体的な構成は、図示の態様に限定されるものではない。例えば、缶ビールの下半部を受け入れ可能な深さを備えた複数の凹部から収容部を形成してもよい。なお、本実施形態では、ホルダー１はキャリーバッグに収容して担いだ状態で使用されることを前提としており（図１２参照）、ホルダー１がある程度傾いても缶ビールの収容状態が維持できるような収容部であることが望ましい。
【００１８】
［ハンディコック］
図６、図１０に示すように、ハンディコック２は、筒状の把持部２０と、把持部２０の上端に設けたレバー２１と、を備えている。把持部２０の半部は分割されており、半円筒状の蓋体２０´となっている。把持部２０には、ビール供給用チューブ２００と空気供給用チューブ２０１が把持部２０の長さ方向に延びており、ビール供給用チューブ２００の第１端部には、チューブ６１の第２端部が接続されるようになっており、ビール供給用チューブ２００の第２端部は、ハンディコック２の先端にまで達しており、ビールの吐出口となっている（図１、図３参照）。
【００１９】
空気供給用チューブ２０１の第１端部には、空気送出チューブ３の第１端部が接続されるようになっており、第２端側は、空気供給路２０２と空気排出路２０３にＹ型ジョイント２０４を介して分岐している。
【００２０】
把持部２０内部には、空気供給源としてのポンプ及びポンプを駆動するモータ（図示せず）が内蔵されており、空気供給路２０２はポンプに接続されている。本体２０にはバッテリ（図示せず）が収容されており、本体２０の外面に設けたスイッチ２２を押すことによって、バッテリーを電源として、モータ及びポンプが駆動される。ポンプが駆動すると、所定の圧力の空気が空気供給路２０２、空気供給用チューブ２００を通って、チューブ３に送出される。
【００２１】
空気排出路２０３は液体用チューブ２００の第２端部側と並行状に延びている。空気排出路２０３の一端はＹ型ジョイント２０４を介して空気供給用チューブ２０１と連通しており、他端は開口状となっており、外界と連通している。
【００２２】
ハンディコック２には、レバー２１の回動動作に連動して第１の位置と第２の位置との間でスライド移動するスライダ（図示せず）が設けてある。レバー２１は第１の位置と第２の位置との間で回動可能となっており、レバー２１が第１の位置にある時には、スライダは第１の位置にあり、レバー２が第２の位置にある時にはスライダは第２の位置にある。レバー２１及びスライダは第１の位置を取るようにバネ（図示せず）によって付勢されている。スライダには、２つの開口が形成されており、液体用チューブ２００の第２端側部位、第２空気路２０３の第２端側部位が、スライダに形成された開口をそれぞれ挿通している。
【００２３】
スライダが第１の位置にある時には、ビール供給用チューブ２００の第２端側部位は潰れて内部空間が閉じており、ビールの吐出が規制されており、空気排出路２０３の第２端側部位は開放されており、空気の排出が許容されている。
【００２４】
スライダが第２の位置にある時には、ビール供給用チューブ２００の第２端側部位は開放され、ビールの吐出が許容されており、空気排出路２０３の第２端側部位は潰れて内部空間が閉じており、空気の排出が規制されている。
【００２５】
本実施形態では、把持部２０を備えたハンディコック２に、ポンプやモータ、バッテリーを内蔵させることで、装置全体のコンパクト化を図ると共に、使い勝手を向上させている。なお、ハンディコック２は一つの好ましい実施例に過ぎないものであり、例えば、ポンプやモータ、バッテリーをホルダー１側に設けてもよい。
【００２６】
［空気送出用チューブ］
空気送出用チューブ３は、第１端部がハンディコック２の空気供給用チューブ２０１の第１端部に接続されるようになっており、第２端部にはコネクタ３０が形成されている。空気送出用チューブ３のコネクタ３０は、ダミー容器用キャップ４０の上壁の第２開口（第２接続部４０１）に連結される。空気送出用チューブ３の長さ方向の中途部位には、空気送出用チューブ３とビール供給用チューブ６１とを結束するためのチューブ用リング３１が設けてある。なお、本実施形態では、ホルダー１はキャリーバッグに収容して担いだ状態で使用されることを前提としており（図１２参照）、空気送出用チューブ３、ビール供給用チューブ６１は、この使用目的に合った長さを有している。
【００２７】
［ダミー容器用ユニット］
ダミー容器用ユニット４は、ダミー容器用キャップ４０と、空気送出用チューブ４１と、を備えている。ダミー容器用キャップ４０は、円形状の上壁と、筒状の側壁と、からなり、下端が開口状のシリコン製（材質は限定されない）の蓋体である。ダミー容器４２は、有底で上端側が開口状の円筒状容器であり、上端には、キャップ４が密閉状に嵌着可能となっている。ダミー容器の上側の開口部の径は、市販のビール缶の径と同じ寸法となっている。なお、ダミー容器４２として、ビールの空き缶を用いることもできる。
【００２８】
ダミー容器用キャップ４０の上壁には第１開口、第２開口が形成されており、第１開口には第１接続部４００、第２開口には第２接続部４０１が形成されている。ダミー容器用キャップ４の上壁の第１開口（第１接続部４００）には、空気送出用チューブ４１が挿通されている。チューブ４１の第１端はダミー容器内に挿入され、第２端にはコネクタ４１０が形成されている。ダミー容器用キャップ４０の上壁の第２開口（第２接続部４０１）には、チューブ３のコネクタ３０が着脱可能に連結される。
【００２９】
本実施形態では、ポンプから空気供給チューブを通って供給される空気は、ダミー容器４２を介して、空気送出用チューブ４１によってビール缶に供給されるにしたので、振動等によってビール缶内で発生した泡等が空気送出用チューブ４１を逆流したとしても、ダミー容器４２がバッファとなって発生した泡等を収容することができ、さらに空気送出用チューブ３を逆流することを可及的に防止する。また、ダミー容器４２は、洗浄時に洗浄用容器として用いることができ、ダミー容器に充填した洗浄用液体（例えば、水）をビールに代えて流すことで、各チューブを洗浄することができる。
【００３０】
［第１缶用ユニット］
第１缶用ユニット５は、缶用キャップ５０と、ビール送出用チューブ５１と、を備えている。缶用キャップ５０は、円形状の上壁と、筒状の側壁と、からなり、下端が開口状のシリコン製（材質は限定されない）の蓋体である。缶用キャップ５０は、ビール缶の上端に密閉状に嵌着可能となっている。第１缶用ユニット５は、ホルダー１に収容された缶ビールの缶体の個数が２個以上の場合に用いられる。ホルダー１に収容された缶ビールの缶体の個数が１個の場合には、後述する第２缶用ユニット６が用いられ、第１缶用ユニット５は用いられない（図１、図２参照）。すなわち、ホルダー１に収容された缶ビールの缶体の個数がＭ個の場合には、Ｍ−１個の第１缶用ユニット５が用いられる。
【００３１】
缶用キャップ５０の上壁には第１開口、第２開口が形成されており、第１開口には第１接続部５００、第２開口には第２接続部５０１が形成されている。缶用キャップ５０の上壁の第１開口（第１接続部５００）には、ビール送出用チューブ５１が挿通されている。チューブ５１の第１端はビール缶内に挿入され、第２端にはコネクタ５１０が形成されている。缶用キャップ５０の上壁の第２開口（第２接続部５０１）には、ダミー容器用ユニット４のチューブ４１のコネクタ４１０が着脱可能に連結される。
【００３２】
［第２缶用ユニット］
第２缶用ユニット６は、缶用キャップ６０と、ビール送出用チューブ６１と、を備えている。缶用キャップ６０は、円形状の上壁と、筒状の側壁と、からなり、下端が開口状のシリコン製（材質は限定されない）の蓋体である。缶用キャップ６０は、ビール缶の上端に密閉状に嵌着可能となっている。
【００３３】
缶用キャップ６０の上壁には第１開口、第２開口が形成されており、第１開口には第１接続部６００、第２開口には第２接続部６０１が形成されている。缶用キャップ６０の上壁の第１開口（第１接続部６００）には、ビール送出用チューブ６１が挿通されている。チューブ６１の第１端はビール缶内に挿入され、第２端はビール供給用チューブ２００の第１端部に接続される。缶用キャップ６０の上壁の第２開口（第２接続部６０１）には、第１缶用ユニット５のチューブ５１のコネクタ５１０が着脱可能に連結される。
【００３４】
［Ｂ］ビールサーバの実施態様
本実施形態に係るビールサーバの実施態様について説明する。
［Ｂ−１］第１実施態様
図１、図２を参照しつつ、第１実施態様について説明する。ホルダー１の収容部には、ダミー容器４２と、１本の缶ビールの缶体６２が収容されている。ダミー容器４２の上端にはキャップ４０が密閉状に嵌着されており、ダミー容器４２を上端の開口を塞いでダミー容器４２内に密閉空間を形成している。缶ビールの缶体６２の上端には、缶体６２の上面の飲み口を開放した状態で、キャップ６０が密閉状に嵌着されており、缶体６２の上方空間を塞いで、缶体６２内及びその上方空間に密閉空間を形成している。
【００３５】
ダミー容器４２の密閉空間は、空気送出用チューブ３の一端と連通しており、空気送出用チューブ３の他端は、ハンディコック２に内蔵した空気送出用のポンプと連結されている。ダミー容器４２の密閉空間と、缶体６２内及びその上方空間に形成された密閉空間の空気層と、は、チューブ４１を介して連通している。缶体６２内及びその上方空間に形成された密閉空間のビール層は、ビール供給用チューブ６１の一端と連通しており、ビール供給用チューブ６１の他端は、ハンディコック２に設けたビール供給用チューブ２００と連通している。
【００３６】
ハンディコック２の把持部２０に設けたスイッチ２２を押してポンプを駆動させた状態でレバー２１を第１の位置から第２の位置に移動させると、ポンプから送出された空気が、空気供給路２０２、空気供給用チューブ２０１、空気送出用チューブ３、ダミー容器４２の密閉空間、チューブ４１を通って、缶体６２内及びその上方空間に形成された密閉空間の空気層に供給される。これによって、缶体６２内及びその上方空間に形成された密閉空間のビール層に圧力が作用して、缶体６２内のビールがチューブ６１を通ってハンディコック２に設けたビール供給用チューブ２００に供給され、ビール供給用チューブ２００の先端から吐出される。
【００３７】
［Ｂ−２］第２実施態様
図３、図４を参照しつつ、第２実施態様について説明する。ホルダー１の収容部には、ダミー容器４２と、２本の缶ビールの缶体５２、６２が収容されている。ダミー容器４２の上端にはキャップ４０が密閉状に嵌着されており、ダミー容器４２を上端の開口を塞いでダミー容器４２内に密閉空間を形成している。缶ビールの缶体５２の上端には、缶体５２の上面の飲み口を開放した状態で、キャップ５０が密閉状に嵌着されており、缶体５２の上方空間を塞いで、缶体５２内及びその上方空間に密閉空間を形成している。缶ビールの缶体６２の上端には、缶体６２の上面の飲み口を開放した状態で、キャップ６０が密閉状に嵌着されており、缶体６２の上方空間を塞いで、缶体６２内及びその上方空間に密閉空間を形成している。
【００３８】
ダミー容器４２の密閉空間は、空気送出用チューブ３の一端と連通しており、空気送出用チューブ３の他端は、ハンディコック２に内蔵した空気送出用のポンプと連結されている。ダミー容器４２の密閉空間と、缶体５２内及びその上方空間に形成された密閉空間の空気層と、は、チューブ４１を介して連通している。缶体５２内及びその上方空間に形成された密閉空間のビール層と、缶体６２内及びその上方空間に形成された密閉空間のビール層は、チューブ５１を介して連通している。缶体６２内及びその上方空間に形成された密閉空間のビール層は、ビール供給用チューブ６１の一端と連通しており、ビール供給用チューブ６１の他端は、ハンディコック２に設けたビール供給用チューブ２００と連通している。
【００３９】
ハンディコック２の把持部２０に設けたスイッチ２２を押してポンプを駆動させた状態でレバー２１を第１の位置から第２の位置に移動させると、ポンプから送出された空気が、空気供給路２０２、空気供給用チューブ２０１、空気送出用チューブ３、ダミー容器４２の密閉空間、チューブ４１を通って、缶体５２内及びその上方空間に形成された密閉空間の空気層に供給される。これによって、缶体５２内及びその上方空間に形成された密閉空間のビール層に圧力が作用して、缶体５２内のビールがチューブ５１を通って、缶体６２内及びその上方空間に形成された密閉空間のビール層に供給される。これによって、缶体６２内のビールがチューブ６１を通ってハンディコック２に設けたビール供給用チューブ２００に供給され、ビール供給用チューブ２００の先端から吐出される。
【００４０】
図３、図４では、２本の缶ビールをホルダー１の収容部に設けた場合について示したが、図９左図の第１缶用ユニット５を複数用意することで、３つ以上（図示のホルダーでは４本まで）の缶ビールの缶体を互いに接続して用いることができる。既述のように、ホルダー１に収容された缶ビールの缶体の個数がＭ個の場合には、Ｍ−１個の第１缶用ユニット５が用いられる。
【００４１】
［Ｂ−３］ビールサーバの使用態様
本実施形態に係るビールサーバは典型的には、キャリーバッグ７の内部にダミー容器４２、缶体５２、６２を収容したホルダー１を設け、キャリーバッグ７を背負った上で、チューブ３、６１をキャリーバッグ７から外に引き出した状態で、ハンディコック２の把持部２０を掴んで用いられる（図１２）。バッグを背負った状態で歩いたり走ったりすると、缶ビールが揺れるため、振動で炭酸ガスが発生して、空気供給チューブを通って炭酸ガスや泡が逆流してしまうおそれがあるが、上述のように、ダミー容器４２がバッファとして機能して泡等を収容するようになっている。
【００４２】
［Ｂ−４］洗浄時の使用態様
本実施形態に係るビールサーバの洗浄時の使用態様について、図１１を参照しつつ説明する。ダミー容器４２に洗浄用液体（例えば、水）を充填し、チューブ４１の一端をダミー容器４２の密閉空間の液体層に連通させ、チューブ４１の他端とチューブ６１の一端とを接続し、空気を供給するチューブ２０２、２０１、３からダミー容器４２の密閉空間の空気層に空気を供給することで、チューブ４１、６１、２００を介して吐出口から洗浄用液体を吐出する。すなわち、ダミー容器に充填した洗浄用液体（例えば、水）をビールに代えて流すことで、各チューブを洗浄することができる。
【００４３】
図１１に示す洗浄態様は、図１、図２の実施態様に対応しているが、図３、図４の実施態様についての同様に洗浄態様を構成することができる。具体的には、ダミー容器４２に洗浄用液体を充填し、チューブ４１の一端をダミー容器４２の密閉空間の液体層に連通させ、チューブ４１の他端とチューブ５１の一端とを接続し、チューブ５１の他端とチューブ６１の一端とを接続し、空気を供給するチューブ２０２、２０１、３からダミー容器４２の密閉空間の空気層に空気を供給することで、チューブ４１、５１、６１、２００を介して吐出口から洗浄用液体を吐出する。
【符号の説明】
【００４４】
１  ホルダー
２  ハンディコック
２０  把持部
２１  レバー
２００  チューブ（ビール供給用）
２０１  チューブ（空気供給用）
２０２  チューブ（空気供給用）
２０３  チューブ（空気排出用）
３  チューブ（空気供給用）
４０  ダミー容器用のキャップ（蓋体）
４１  チューブ（空気供給用）
４２  ダミー容器
５０  缶体用のキャップ（蓋体）
５１  チューブ（ビール供給用）
５２  缶体
６０  缶体用のキャップ（蓋体）
６１  チューブ（ビール供給用）
６２  缶体
７  キャリーバッグ
【図１】
2018002190.tif 000003
【図２】
2018002190.tif 000004
【図３】
2018002190.tif 000005
【図４】
2018002190.tif 000006
【図５】
2018002190.tif 000007
【図６】
2018002190.tif 000008
【図７】
2018002190.tif 000009
【図８】
2018002190.tif 000010
【図９】
2018002190.tif 000011
【図１０】
2018002190.tif 000012
【図１１】
2018002190.tif 000013
【図１２】
2018002190.tif 000014